(57)【要約】【課題】室内や室外に長期間にわたって展示したり保管しても、退色するのを確実に防止することができると共に、カバーしても或いは中に入れても透明で外から見ることができるＵＶカット透明カバー及び袋の提供を課題とする。【解決手段】ＵＶカット透明カバーは、紫外線遮蔽プラスチック透明フィルム１０を用い、該透明フィルム１０を長方形状に構成し、その長方形状フィルム１０の裏側の両短辺１１縁部を２重にして被カバー体の短辺縁部の差し入れポケット１３に構成し、且つ該両ポケット１３のそれぞれに短辺１１に沿った帯状の脱着可能な粘着部１４を構成してある。またＵＶカット透明袋は、紫外線遮蔽プラスチック透明フィルムを用い、該透明フィルムを一辺が開口した袋に構成し、且つ該袋の裏面に前記開口と平行な１つ又は２つの脱着可能な帯状の粘着部を構成してある。【選択図】        図１
2004198652.tif 000002
【特許請求の範囲】
【請求項１】
紫外線遮蔽プラスチック透明フィルムを用い、該透明フィルムを長方形状に構成し、その長方形状フィルムの裏側の両短辺縁部を２重にして被カバー体の短辺縁部の差し入れポケットに構成し、且つ該両ポケットのそれぞれに短辺に沿った帯状の脱着可能な粘着部を構成してあることを特徴とするＵＶカット透明カバー。
【請求項２】
紫外線遮蔽プラスチック透明フィルムを用い、該透明フィルムを長方形状に構成し、その長方形状フィルムの裏側の一方の短辺縁部を２重にして被カバー体の短辺縁部の差し入れポケットに構成し、該差し入れポケットに短辺に沿った脱着可能な帯状の粘着部を構成し、また前記長方形状フィルムの裏側の他方の短辺に沿って脱着可能な帯状の粘着部を構成し、且つ前記長方形状フィルムの長手方向途中の裏面に前記被カバー体を挿通させる帯状挿通部を構成し、且つ該帯状挿通部に他の帯状の粘着部と平行な脱着可能な帯状の粘着部を構成していることを特徴とするＵＶカット透明カバー。
【請求項３】
紫外線遮蔽プラスチック透明フィルムはＯＰＰフィルムとＣＰＰフィルムとを紫外線防止剤入りの透明接着剤で接着してあるラミネートフィルムであることを特徴とする請求項１又は２に記載のＵＶカット透明カバー。
【請求項４】
被カバー体は、写真、ポスター、ブロマイド、広告紙、賞状、その他、写真や印刷が施された退色のおそれのある紙、その他の材質からなるシートであることを特徴とする請求項１〜３の何れかに記載のＵＶカット透明カバー。
【請求項５】
紫外線遮蔽プラスチック透明フィルムを用い、該透明フィルムを一辺が開口した袋に構成してあることを特徴とするＵＶカット透明袋。
【請求項６】
袋の裏面に開口と平行な１つ又は２つの脱着可能な帯状の粘着部を構成してあることを特徴とする請求項５に記載のＵＶカット透明袋。
【請求項７】
紫外線遮蔽プラスチック透明フィルムはＯＰＰフィルムとＣＰＰフィルムとを紫外線防止剤入りの透明接着剤で接着してあるラミネートフィルムであることを特徴とする請求項５又は６に記載のＵＶカット透明袋。
【発明の詳細な説明】
【０００１】
【発明の属する技術分野】
本発明はＵＶカット透明カバー及び袋に関する。
【０００２】
【従来の技術】
従来、一般にポスター、ブロマイド、賞状、写真等は室内や店頭、その他の場所に張られたりするが、それらの中には短期間の間に不要となって取り去るものもあるが、逆に長い期間にわたってそれらを張っておきたい場合もある。また賞状等は壁等に張らないまでも、長期間にわたって展示し或いは保存しておきたい場合がある。
【０００３】
【発明が解決しようとする課題】
ところが上記ポスター、ブロマイド、写真等を長期間室内や店頭等に張っておくと、紫外線による退色が生じて元の価値がなくなってしまう問題があった。また賞状や写真等が保管中に色あせてしまうという問題があった。その一方において、ポスター、ブロマイド、写真等はそれらを仕舞ってしまうと、常時見ることができない、顧客への展示物にならないという問題がある。
【０００４】
そこで本発明は上記従来における問題点を解消し、室内や店頭等の室外に写真やポスター、その他の物を長期間にわたって展示したり保管しても、退色するのを確実に防止することができると共に、十分に透明で、それらカバーされたり収容された写真やポスター等を外から鮮明に見ることができるＵＶカット透明カバー及び袋の提供を課題とする。
【０００５】
【課題を解決するための手段】
上記課題を達成するため、本発明のＵＶカット透明カバーは、紫外線遮蔽プラスチック透明フィルムを用い、該透明フィルムを長方形状に構成し、その長方形状フィルムの裏側の両短辺縁部を２重にして被カバー体の短辺縁部の差し入れポケットに構成し、且つ該両ポケットのそれぞれに短辺に沿った帯状の脱着可能な粘着部を構成してあることを第１の特徴としている。
また本発明のＵＶカット透明カバーは、紫外線遮蔽プラスチック透明フィルムを用い、該透明フィルムを長方形状に構成し、その長方形状フィルムの裏側の一方の短辺縁部を２重にして被カバー体の短辺縁部の差し入れポケットに構成し、該差し入れポケットに短辺に沿った脱着可能な帯状の粘着部を構成し、また前記長方形状フィルムの裏側の他方の短辺に沿って脱着可能な帯状の粘着部を構成し、且つ前記長方形状フィルムの長手方向途中の裏面に前記被カバー体を挿通させる帯状挿通部を構成し、且つ該帯状挿通部に他の帯状粘着部と平行な脱着可能な帯状の粘着部を構成していることを第２の特徴としている。
また本発明のＵＶカット透明カバーは、上記第１又は第２の特徴に加えて、紫外線遮蔽プラスチック透明フィルムはＯＰＰフィルムとＣＰＰフィルムとを紫外線防止剤入りの透明接着剤で接着してあるラミネートフィルムであることを第３の特徴としている。
また本発明のＵＶカット透明カバーは、上記第１〜３の何れかの特徴に加えて、被カバー体は、写真、ポスター、ブロマイド、広告紙、賞状、その他、写真や印刷が施された退色のおそれのある紙、その他の材質からなるシートであることを第４の特徴としている。
また本発明のＵＶカット透明袋は、紫外線遮蔽プラスチック透明フィルムを用い、該透明フィルムを一辺が開口した袋に構成してあることを第５の特徴としている
また本発明のＵＶカット透明袋は、上記第５の特徴に加えて、袋の裏面に開口と平行な１つ又は２つの脱着可能な帯状の粘着部を構成してあることを第６の特徴としている。
また本発明のＵＶカット透明袋は、上記第５又は第６の特徴に加えて、紫外線遮蔽プラスチック透明フィルムはＯＰＰフィルムとＣＰＰフィルムとを紫外線防止剤入りの透明接着剤で接着してあるラミネートフィルムであることを第７の特徴としている。
【０００６】
【発明の実施の形態】
以下の図面を参照しながら本発明の実施形態を説明することで、本発明を更に詳細に説明する。
図１は本発明の第１の実施形態を示すＵＶカット透明カバーの裏面図、図２は本発明の第２の実施形態を示すＵＶカット透明カバーの裏面図、図３は本発明の第３の実施形態を示すＵＶカット透明袋の裏面図である。
【０００７】
先ず図１を参照して、本発明の第１の実施形態であるＵＶカット透明カバーを説明する。
ＵＶカット透明カバーは、紫外線遮蔽プラスチック透明フィルム１０を用い、該フィルム１０を短辺１１と長辺１２とからなる長方形状に構成している。
前記長方形状の透明フィルム１０の裏側の両方の短辺１１縁部に、差し入れポケット１３をそれぞれ設けている。この差し入れポケット１３は、短辺１１縁部を折り曲げて２重にして、その２辺を熱溶着１３ａすることで、差し入れ口１３ｂを形成している。前記熱溶着１３ａは、長辺１２のカットと同期して一緒に行われる。
【０００８】
前記差し入れポケット１３には前記短辺１１に沿った帯状の粘着部１４を構成している。この粘着部１４は接着及びその取り外しができるように脱着可能な粘着力としている。この粘着部１４は、例えば帯状の両面粘着テープがその片面でポケット１３面に貼り付けられることで構成される。前記両面粘着テープ等で構成された粘着部１４は、その粘着面を剥離テープで被覆した状態で提供され、ＵＶカット透明カバーの使用の際に必要に応じて剥離テープを剥がして、使用されるようにしている。
【０００９】
前記紫外線遮蔽プラスチック透明フィルム１０は、ＯＰＰフィルム（延伸ポリプロピレンフィルム）とＣＰＰフィルム（無延伸ポリプロピレンフィルム）とを紫外線防止剤入りの透明接着剤で接着してなるラミネートフィルムで構成している。この場合、上記熱溶着１３ａはＣＰＰフィルム同士が合わされる状態でなされる。
【００１０】
第１の実施形態であるＵＶカット透明カバーの使用を説明する。今、図示しないポスターや写真等の被カバー体を、その両方の短辺部で、本発明の実施形態に係るカバーの各差し入れポケット１３、１３にその差し入れ口１３ｂ、１３ｂから差し入れる。差し入れが完了することで、前記ポスター等の被カバー体の有用な片面が紫外線遮蔽プラスチック透明フィルム１０によってカバーされる。
前記ポスター等の被カバー体をカバーした紫外線遮蔽プラスチック透明フィルム１０を縦方向又は横方向にして、前記粘着部１４、１４の剥離テープを剥がして粘着部１４を露出させ、この粘着部１４、１４で室内や店頭等の壁面、ガラスウインド等に張り付ける。
勿論、前記粘着部１４、１４は必ずしも使用する必要はない。この場合は剥離テープを剥がして粘着部１４を露出する必要はない。代わりに、押しピンやその他の取り付け具を用いて、壁面やその他の場所に張ったり、架けたりして取り付け、或いは載置することができる。
表面が紫外線遮蔽プラスチック透明フィルム１０によってカバーされた被カバー体は紫外線による悪影響が除去され、長期間にわたってその退色が防止される。しかも透明フィルム１０による紫外線防止であるから、該透明フィルム１０を通じて内部の被カバー体を十分に見ることができ、何処かに仕舞い込んでしまうのではなく、ポスター等の種々の被カバー体を楽しんだり、その他、視覚を通じて現に利用し続けることができる。
【００１１】
次に図２を参照して、本発明の第２の実施形態であるＵＶカット透明カバーを説明する。
この第２の実施形態に係るＵＶカット透明カバーも、同様な紫外線遮蔽プラスチック透明フィルム２０を用い、該フィルム２０を短辺２１と長辺２２とからなる長方形状に構成している。
前記長方形状の透明フィルム２０の裏側の一方の短辺２１縁部に、差し入れポケット２３を設けている。この差し入れポケット２３は、同様に短辺２１縁部を折り曲げて２重にして、その２辺を熱溶着２３ａすることで、差し入れ口２３ｂを形成している。
前記差し入れポケット２３には、同様に短辺２１に沿った帯状の粘着部２４を構成している。粘着部２４は、帯状の両面粘着テープがその片面でポケット２３面に貼り付けられることで構成され、脱着可能な粘着力に調整されている。粘着部２４はその粘着面を剥離テープで被覆した状態で提供され、必要に応じて剥離テープを剥がして、使用されるようにしている。
【００１２】
前記紫外線遮蔽プラスチック透明フィルム２０の他方の短辺２１付近には、該短辺２１に沿って別の帯状の粘着部２５を構成している。この粘着部２５も、両面粘着テープによりその片面が貼り付けられた状態に構成され、脱着可能な粘着力に調整されている。この粘着部２５もその粘着面を剥離テープで被覆した状態で提供され、必要に応じて剥離テープを剥がして、使用されるようにしている。
【００１３】
前記紫外線遮蔽プラスチック透明フィルム２０の長手方向途中の裏面には、幅広の帯状挿通部２６を構成している。この帯状挿通部２６は、被カバー体を挿通させるために設けられるものであり、フィルム２０の長手方向の中間よりも前記差し入れポケット２３がある方と反対の方に適当に偏った位置に構成される。
前記帯状挿通部２６は、その領域をフィルムで２重にして、長辺２２に沿って両側を熱溶着２６ａすることで、挿通口２６ｂを形成している。
なお前記熱溶着２３ａ、２６ａは、長辺２２のカットと同期して一緒に行われる。
前記帯状挿通部２６には、他の粘着部２４、２５と平行に脱着可能な帯状の粘着部２７を構成している。この粘着部２７は、図２上において帯状挿通部２６の右側に偏った位置に設けている。帯状挿通部２６の粘着部２７の左側のスペースは、前記他方の短辺２１を折り曲げてその粘着部２５を接着する場合の接着用スペースとして空けられている。
前記粘着部２７は上記粘着部２４、２５と同様に、帯状の両面粘着テープがその片面で帯状挿通部２６面に貼り付けられることで構成され、脱着可能な粘着力に調整されている。粘着部２７はその粘着面を剥離テープで被覆した状態で提供され、必要に応じて剥離テープを剥がして、使用されるようにしている。
【００１４】
第２の実施形態における紫外線遮蔽プラスチック透明フィルム２０もまた、ＯＰＰフィルム（延伸ポリプロピレンフィルム）とＣＰＰフィルム（無延伸ポリプロピレンフィルム）とを紫外線防止剤入りの透明接着剤で接着してなるラミネートフィルムで構成している。上記熱溶着２３ａ、２６ａはＣＰＰフィルム同士が合わされる状態でなされる。
【００１５】
第２の実施形態であるＵＶカット透明カバーの使用を説明する。この第２の実施形態に係るＵＶカット透明カバーは、ポスター等の被カバー体が長手方向にその長さが異なる場合であっても、それらの異なる長さの被カバー体に対して適用できるようにしたものである。
先ず、ポスター等の被カバー体の一方の短辺部を、ＵＶカット透明カバーの一方の短辺２１縁部にある差し入れポケット２３に差し入れる。そして被カバー体の他方の短辺部を帯状挿通部２６に挿通する。そして帯状挿通部２６を貫通して出てきた被カバー体の他方の短辺に対して、その短辺の線に沿ってＵＶカット透明カバーの余っている部分を折り返し、粘着部２５で帯状挿通部２６の面若しくは被カバー体の裏面に接着する。これによって第２の実施形態のＵＶカット透明カバーによる被カバー体のカバーが完了する。
前記ポスター等の被カバー体をカバーした紫外線遮蔽プラスチック透明フィルム２０を縦方向又は横方向にして、前記粘着部２４、２７の剥離テープを剥がして粘着部２４、２７を露出させ、この粘着部２４、２７で室内や店頭等の室外の壁面、ガラスウインド等に張り付ける。
勿論、前記において、ＵＶカット透明カバーの２つの短辺２１、２１のうち、粘着部２５のある他方の短辺２１は、折り返して該粘着部２５を被カバー体の裏面の接着することなく、そのままの状態で粘着部２５の剥離テープを剥がして壁面に接着するようにしてもよい。
【００１６】
勿論、この第２の実施形態の場合も、前記粘着部２４、２７は必ずしも使用する必要はない。この場合は、剥離テープを剥がして粘着部２４、２７を露出する必要はない。代わりに押しピンやその他の取り付け具を用いて、壁面やその他の場所に張ったり、架けたりして取り付け、或いは載置することができる。
表面が紫外線遮蔽プラスチック透明フィルム２０によってカバーされた被カバー体は紫外線による悪影響が除去され、長期間にわたってその退色が防止される。しかも透明フィルム２０によるカバーであるから、内部の被カバー体を十分に見ることができ、何処かに仕舞い込んでしまうのではなく、実際に展示して長期にわたって被カバー体を楽しんだり、その他、視覚を通じて現に利用し続けることができる。
【００１７】
上記第１の実施形態及び第２の実施形態に係るＵＶカット透明カバーによってカバーされる被カバー体としては、ポスター、写真、ブロマイド、広告紙、賞状、その他、写真や印刷が施された紫外線によって退色のおそれがある紙、その他の材質からなるシート（厚みのあるものも含む）が対象となる。
【００１８】
次に図３を参照して、本発明の第３の実施形態であるＵＶカット透明袋を説明する。このＵＶカット透明袋は、ポスター、写真、ブロマイド等の被収容体をその中にすっぽり収容することで、袋の外から中を十分に視覚することができる状態で被収容体の紫外線による退色を防止するものである。
紫外線遮蔽プラスチック透明フィルム３０を用い、これを一辺が開口３１ａした袋３１に構成している。袋の裏面（一方の面）には前記開口３１ａに沿った位置と底辺３１ｃに沿った位置に脱着可能な粘着力に調整された帯状の粘着部３２、３２が設けられている。
前記粘着部３２、３２は上記の場合と同様に、帯状の両面粘着テープがその片面で袋３１面に貼り付けられることで構成されている。粘着部３２、３２はその粘着面を剥離テープで被覆した状態で提供され、必要に応じて剥離テープを剥がして、使用されるようにしている。
【００１９】
前記紫外線遮蔽プラスチック透明フィルム３０は、ＯＰＰフィルム（延伸ポリプロピレンフィルム）とＣＰＰフィルム（無延伸ポリプロピレンフィルム）とを紫外線防止剤入りの透明接着剤で接着してなるラミネートフィルムで構成している。
袋３１は、例えば１枚の紫外線遮蔽プラスチック透明フィルム３０を底辺３１ｃとなるべき線に沿って半分に折り曲げ、次に対向する２辺３１ｂ、３１ｂとなるべき線に沿ってカットすると共に、それと同期して一緒に熱溶着３３、３３を施すことで構成することができる。なお前記熱溶着３３はＣＰＰフィルム同士が合わされる状態でなされる。
【００２０】
上記第３の実施形態に係るＵＶカット透明袋によってカバーされる被収容体としては、上記のＵＶカット透明カバーの場合と同様に、写真、ブロマイド、広告紙、賞状、その他、写真や印刷が施された紫外線によって退色のおそれがある紙、その他の材質からなるシート（厚みのあるものも含む）が対象となる。
ポスター等の被収容体をＵＶカット透明袋に入れ、必要に応じて粘着部３２、３２の剥離テープを剥がして粘着部３２を露出させ、この粘着部３２、３２で室内等の壁面等に張り付ける。
勿論、前記粘着部３２、３２は必ずしも使用する必要はない。この場合は剥離テープを剥がして粘着部３２を露出する必要はない。代わりに、押しピンやその他の取り付け具を用いて、壁面やその他の場所に張ったり、架けたりして取り付け、或いは載置することができる。
【００２１】
【発明の効果】
本発明は以上の構成、作用よりなり、請求項１に記載のＵＶカット透明カバーによれば、紫外線遮蔽プラスチック透明フィルムを用い、該透明フィルムを長方形状に構成し、その長方形状フィルムの裏側の両短辺縁部を２重にして被カバー体の短辺縁部の差し入れポケットに構成し、且つ該両ポケットのそれぞれに短辺に沿った帯状の脱着可能な粘着部を構成してあるので、
ポスター、写真、ブロマイド、その他の退色してほしくない被カバー体に対して、その重要な片面に容易に取り付けてカバーすることができ、被カバー体を室内や店頭等の室外において展示したり保管しても紫外線による悪影響を除去し、長期間にわたってその退色を防止することができる。しかも透明フィルムによる紫外線防止であるから、該透明フィルムを通じて内部の被カバー体を十分に見ることができ、何処かに仕舞い込んでしまうのではなく、ポスター等の種々の被カバー体を楽しんだり、その他、視覚を通じて現に利用し続けることができる。
また請求項２に記載のＵＶカット透明カバーによれば、紫外線遮蔽プラスチック透明フィルムを用い、該透明フィルムを長方形状に構成し、その長方形状フィルムの裏側の一方の短辺縁部を２重にして被カバー体の短辺縁部の差し入れポケットに構成し、該差し入れポケットに短辺に沿った脱着可能な帯状の粘着部を構成し、また前記長方形状フィルムの裏側の他方の短辺に沿って脱着可能な帯状の粘着部を構成し、且つ前記長方形状フィルムの長手方向途中の裏面に前記被カバー体を挿通させる帯状挿通部を構成し、且つ該帯状挿通部に他の帯状の粘着部と平行な脱着可能な帯状の粘着部を構成しているので、
ポスター、写真、ブロマイド等の長さの異なる被カバー体に対しても、寸法の違いを吸収して、好ましくカバーをすることができ、しかも上記請求項１の構成による効果と同様に、ポスター、写真、ブロマイド、その他の退色してほしくない被カバー体に対して、その重要な片面に容易に取り付けてカバーすることができ、被カバー体を室内や室外において長期間にわたってその退色を防止することができると共に、被カバー体を壁等に取り付けたまま透明フィルムを通じて被カバー体を十分に視覚しながら長期にわたって利用に供し続けることができる。
また請求項３に記載のＵＶカット透明カバーによれば、上記請求項１又は２に記載の構成による効果に加えて、紫外線遮蔽プラスチック透明フィルムはＯＰＰフィルムとＣＰＰフィルムとを紫外線防止剤入りの透明接着剤で接着してあるラミネートフィルムであるので、
紫外線防止効果と、透明性と、ＯＰＰフィルムとＣＰＰフィルムとの組合わせラミネートによる強度と良好な表面状態を有するＵＶカット透明カバーを提供することができる。
また請求項４に記載のＵＶカット透明カバーによれば、上記請求項１〜３の何れかの構成による効果に加えて、被カバー体は、写真、ポスター、ブロマイド、広告紙、賞状、その他、写真や印刷が施された退色のおそれのある紙、その他の材質からなるシートであるので、
これら写真、ポスター、ブロマイド、広告紙、賞状、その他、写真や印刷が施された退色のおそれのある紙、その他の材質からなるシートの紫外線による退色を長期にわたって予防しながら、それらの利用を続けることができる。また写真館等においては、店頭展示用として写真を額等にいれて展示するが、それらの写真を予め本発明の透明カバーでカバーしておくことで、何ら視覚を遮ることなく長時間にわたって変色のない鮮明な展示を行うことができる。同様に不動産店の店頭に展示する印刷物や写真等、或いはレストランにおけるメニューについても、本発明の透明カバーでカバーしておくことで、長期間の変色防止を達成できる。
また請求項５に記載のＵＶカット透明袋によれば、紫外線遮蔽プラスチック透明フィルムを用い、該透明フィルムを一辺が開口した袋に構成してあるので、
写真、ポスター、ブロマイド、その他の退色してほしくない被収容体を袋内に収容することによって、該被収容体を室内や室外において紫外線の悪影響から保護し、長期間にわたってその退色を防止することができる。しかも透明フィルムによる紫外線防止であるから、該透明フィルムを通じて内部の被カバー体を十分に見ることができ、何処かに仕舞い込んでしまうことなく、写真、ポスター等の種々の被収容体を現に展示した状態等で楽しんだり、店頭に展示して鮮明な状態を長期にわたって顧客に供したり、その他、視覚を通じて利用し続けることができる。
また請求項６に記載のＵＶカット透明袋によれば、上記請求項５に記載の構成による効果に加えて、袋の裏面に開口と平行な１つ又は２つの脱着可能な帯状の粘着部を構成してあるので、
写真、ポスター、ブロマイド、その他の印刷物等の退色しやすいものを入れた袋を室内や店頭等の室外の壁面、ガラスウインド等に自在に張り付けて、退色を防ぎながら長期間展示することができる。
また請求項７に記載のＵＶカット透明袋によれば、上記請求項５又は６に記載の構成による効果に加えて、紫外線遮蔽プラスチック透明フィルムはＯＰＰフィルムとＣＰＰフィルムとを紫外線防止剤入りの透明接着剤で接着してあるラミネートフィルムであるので、
紫外線防止効果と、透明性と、ＯＰＰフィルムとＣＰＰフィルムとの組合わせラミネートによる強度と良好な表面状態を有するＵＶカット透明袋を提供することができる。
【図面の簡単な説明】
【図１】本発明の第１の実施形態示すＵＶカット透明カバーの裏面図である。
【図２】本発明の第２の実施形態を示すＵＶカット透明カバーの裏面図である。
【図３】本発明の第３の実施形態を示すＵＶカット透明袋の裏面図である。
【符号の説明】
１０、２０、３０  紫外線遮蔽プラスチック透明フィルム
１１、２１  短辺
１２、２２  長辺
１３、２３  差し入れポケット
１３ａ、２３ａ  熱溶着
１３ｂ、２３ｂ  差し入れ口
１４、２４、２５、２７、３２  粘着部
２６    帯状挿通部
２６ａ  熱溶着
２６ｂ  挿通口
３１  袋
３１ａ  開口
３１ｃ  底辺
３３  熱溶着
【図１】
2004198652.tif 000003
【図２】
2004198652.tif 000004
【図３】
2004198652.tif 000005